(57)【要約】【課題】提供される香りの精度を高めることが可能な香り提供装置を提供する。【解決手段】香り提供装置１０は、香料が放出される放出口を有する管１１と、管１１に接続され、香料が気化する表面を有した香料保持体３０を供給する供給部と、管１１内を通して供給部から放出口まで香料保持体３０を搬送する搬送部１３と、を備える。さらに、香り提供装置１０は、管１１に接続され、香料保持体３０が回収される回収部を備え、搬送部１３は、管１１内を通じて放出口から回収部まで香料保持体３０を搬送する。【選択図】図１
2014039694.tif 000002
【特許請求の範囲】
【請求項１】
香料が放出される放出口を有する管と、
前記管に接続され、香料が気化する表面を有した香料保持体を供給する供給部と、
前記管内を通して前記供給部から前記放出口まで前記香料保持体を搬送する搬送部と、
を備える香り提供装置。
【請求項２】
前記管に接続され、前記香料保持体が回収される回収部を備え、
前記搬送部は、前記管内を通じて前記放出口から前記回収部まで前記香料保持体を搬送する
請求項１に記載の香り提供装置。
【請求項３】
前記供給部が、第１供給部として設定され、
前記香料保持体が、第１香料保持体として設定され、
前記管に接続され、第２香料保持体を供給する第２供給部をさらに備え、
前記搬送部は、前記第１香料保持体と前記第２香料保持体とを前記管内を通じて前記放出口まで搬送する
請求項１又は２に記載の香り提供装置。
【請求項４】
前記第１供給部は、前記回収部を兼ねる
請求項３に記載の香り提供装置。
【請求項５】
前記管に設けられ、前記管内に前記香料保持体が導入される導入部と、
前記第１供給部と前記導入部との接続と、前記第２供給部と前記導入部との接続とを切り替える切り替え部と、をさらに備える
請求項３又は４に記載の香り提供装置。
【請求項６】
前記放出口にて前記香料保持体を加熱する加熱部をさらに備える
請求項１〜５のいずれか一項に記載の香り提供装置。
【請求項７】
前記放出口の近傍における空気を加熱によって上昇させて前記放出口に対向する香料保持体からの香りを前記空気によって上方に導く加熱部をさらに備える
請求項１〜６のいずれか一項に記載の香り提供装置。
【請求項８】
前記搬送部は、
前記香料保持体の搬送方向に沿って前記香料保持体にガス圧を加える
請求項１〜７のいずれか一項に記載の香り提供装置。
【請求項９】
前記搬送部は、
前記香料保持体に加える磁力によって前記香料保持体を搬送する
請求項１〜８のいずれか一項に記載の香り提供装置。
【請求項１０】
前記香料保持体に連結される連結部材をさらに備え、
前記搬送部は、
前記連結部材の変位によって前記香料保持体を搬送する
請求項１〜９のいずれか一項に記載の香り提供装置。
【請求項１１】
前記連結部材は、
前記香料保持体を回転によって搬送するスクリューである
請求項１０に記載の香り提供装置。
【発明の詳細な説明】
【技術分野】
【０００１】
本開示の技術は、香りを提供する香り提供装置に関する。
【背景技術】
【０００２】
従来から、複数の種類の香りを各別に提供する香り提供装置が知られている。特許文献１に記載の香り提供装置は、ウェブサーバから送信される情報に基づいて香りの種類を決定する。非特許文献１に記載の香り提供装置は、香りの種類の決定を映像の切り替わりに同期させて、動画の場面に応じた香りを提供する。
【先行技術文献】
【特許文献】
【０００３】
【特許文献１】特開２０１０−２５７１２６号公報
【非特許文献】
【０００４】
【非特許文献１】月刊ディスプレイ  ２０１０年９月号（第１６巻９号・通巻１８４号）、第７２頁〜第７９頁（ＩＳＳＮ  １３４１−３９６１）
【発明の概要】
【発明が解決しようとする課題】
【０００５】
ところで、香りを提供する方法の１つでは、液体香料の収容された香料容器が用いられ、香料容器に空気を入れる導入管と香料容器から空気を出す導出管とが香料容器には接続される。そして、導入管から香料容器に送り込まれた空気は、液体香料の液面上を通って導出管に入り、気化した香料と共に導出管から出る。この際に、香料容器の位置が変わると、液体香料の液面に対する導入管の位置や液体香料の液面に対する導出管の位置も少なからず変わる。その結果、香料容器が置かれる位置に応じて香料容器から送り出される香料の量にばらつきが生じてしまう。
【０００６】
本開示の技術は、提供される香りの精度を高めることが可能な香り提供装置を提供することを目的とする。
【課題を解決するための手段】
【０００７】
本開示における香り提供装置の一態様は、香料が放出される放出口を有する管と、前記管に接続され、香料が気化する表面を有した香料保持体を供給する供給部と、前記管内を通して前記供給部から前記放出口まで前記香料保持体を搬送する搬送部と、を備える。
【０００８】
上記の一態様によれば、収容部に収容される香料保持体そのものが、管内を通じて放出口に対向する位置へ移動することによって、放出口から香りが提供される。したがって、管の配置の状態や収容部の配置の状態が変わる場合であっても、放出口の大きさや形状に応じた所定の精度で香りは提供される。また、香料容器に液体香料が収容される場合と比較して、香料の取り扱いに関する利便性が向上される。
【０００９】
本開示における香り提供装置の他の態様は、前記管に接続され、前記香料保持体が回収される回収部を備え、前記搬送部は、前記管内を通じて前記放出口から前記回収部まで前記香料保持体を搬送する。
【００１０】
上記の他の態様によれば、香りの提供に用いられない香料保持体が回収部に回収されるため、必要とされない香りが放出口から提供されることが抑えられる。
本開示における香り提供装置の他の態様は、前記供給部が、第１供給部として設定され、前記香料保持体が、第１香料保持体として設定される。また、前記管に接続され、第２香料保持体を供給する第２供給部をさらに備え、前記搬送部は、前記第１香料保持体と前記第２香料保持体とを前記管内を通じて前記放出口まで搬送する。
【００１１】
上記の他の態様によれば、少なくとも２つの香料保持体が放出口まで搬送される。したがって、放出口と対向する香料保持体の交換や２つの香料保持体の組み合わせによる香りの提供が可能となるため、提供される香りの種類が多様化される。
【００１２】
本開示における香り提供装置の他の態様は、前記第１供給部は、前記回収部を兼ねる。
上記の他の態様によれば、第１収容部が回収部を兼ねるため、香料保持体の供給及び回収に関する構成が簡素化される。したがって、香り提供装置の小型化を図ることも可能となる。
【００１３】
本開示における香り提供装置の他の態様は、前記管に設けられ、前記管内に前記香料保持体が導入される導入部と、前記第１供給部と前記導入部との接続と、前記第２供給部と前記導入部との接続とを切り替える切り替え部と、をさらに備える。
【００１４】
上記の他の態様によれば、導入部と接続される供給部が切り替えられることにより、搬送対象となる香料保持体が切り替えられる。したがって、放出口と対向する香料保持体が交換されることにより、提供される香りを切り替えることが可能となる。
【００１５】
本開示における香り提供装置の他の態様は、前記放出口にて前記香料保持体を加熱する加熱部をさらに備える。
上記の他の態様によれば、香料保持体が加熱されるため、香料の気化が促進されて放出口からの香りの提供が促進される。
【００１６】
本開示における香り提供装置の他の態様は、前記放出口の近傍における空気を加熱によって上昇させて前記放出口に対向する香料保持体からの香りを前記空気によって上方に導く加熱部をさらに備える。
【００１７】
上記の他の態様によれば、放出口の近傍における空気が加熱されるため、放出口の近傍に上昇気流が発生して、香料保持体からの香料が上昇気流によって効率的に運ばれる。
本開示における香り提供装置の他の態様にて、前記搬送部は、前記香料保持体の搬送方向に沿って前記香料保持体にガス圧を加える。
【００１８】
上記の他の態様によれば、管内をガス圧によって香料保持体が搬送されるため、香料保持体の搬送に用いられる力は、管の形状に関わらず香料保持体に作用する。それゆえに、香料保持体の円滑な搬送が実現される。
【００１９】
本開示における香り提供装置の他の態様にて、前記搬送部は、前記香料保持体に加える磁力によって前記香料保持体を搬送する。
上記の他の態様によれば、磁力の作用によって香料保持体が搬送されるため、香料保持体から離れた位置にて、香料保持体を搬送するための力を香料保持体に作用させることが可能になる。それゆえに、香料保持体と搬送部との間に他の部材が介在する場合であっても、香料保持体の搬送が可能ともなる。
【００２０】
本開示における香り提供装置の他の態様は、前記香料保持体に連結される連結部材をさらに備え、前記搬送部は、前記連結部材の変位によって前記香料保持体を搬送する。
上記の他の態様によれば、香料保持体に連結される連結部材の変位によって香料保持体が搬送されるため、連結部材の位置の精度に応じた精度で香料保持体を搬送することが可能となる。
【００２１】
本開示における香り提供装置の他の態様にて、前記連結部材は、前記香料保持体を回転によって搬送するスクリューである。
上記の他の態様によれば、管内における香料保持体の位置が、スクリューの回転数によって把握される。したがって、香料保持体の位置の制御が容易となる。
【発明の効果】
【００２２】
本開示の技術によれば、提供される香りの精度が高められる。
【図面の簡単な説明】
【００２３】
【図１】本開示における香り提供装置の第１の実施形態について、香り提供装置の構成を示す斜視図である。
【図２】第１の実施形態における収容部の内部を示す斜視図であって、収容部に香料保持体が収容された状態を示す図である。
【図３】第１の実施形態における香料保持体の断面構造の一部を拡大して示す部分拡大断面図であって、香料保持前の香料保持体の状態を示す図である。
【図４】第１の実施形態における香料保持体の断面構造の一部を拡大して示す部分拡大断面図であって、香料保持後の香料保持体の状態を示す図である。
【図５】第１の実施形態の香り提供装置の電気的構成示すブロック図である。
【図６】第１の実施形態の香り提供装置の断面構造を模式的に示す断面図であって、香料保持体が収容部に収容された状態を示す図である。
【図７】第１の実施形態の香り提供装置の断面構造を模式的に示す断面図であって、香料保持体が放出口に搬送された状態を示す図である。
【図８】第１の実施形態の香り提供装置の断面構造を模式的に示す断面図であって、香料保持体が回収部に回収される過程を示す図である。
【図９】第１の実施形態の香り提供装置の断面構造を模式的に示す断面図であって、香料保持体が回収部に回収された状態を示す図である。
【図１０】第１の実施形態の香り提供装置の断面構造を模式的に示す断面図であって、香料保持体が交換される状態を示す図である。
【図１１】本開示における香り提供装置の第２の実施形態について、香り提供装置の構成を示す斜視図である。
【図１２】第２の実施形態における香料保持体の斜視構造を示す斜視図である。
【図１３】第２の実施形態の香り提供装置の断面構造を示す断面図である。
【図１４】第２の実施形態の香り提供装置の断面構造を示す断面図である。
【図１５】本開示における香り提供装置の第３の実施形態について、香り提供装置の断面構造の一部を示す断面図である。
【図１６】本開示における香り提供装置の第４の実施形態について、香り提供装置の断面構造の一部を示す断面図である。
【図１７】本開示における香り提供装置の第５の実施形態について、香料保持体の斜視構造を示す斜視図である。
【図１８】第５の実施形態の香り提供装置の断面構造の一部を示す断面図である。
【図１９】第５の実施形態の香り提供装置の断面構造を示す断面図である。
【発明を実施するための形態】
【００２４】
(第１の実施形態)
本開示の香り提供装置の第１の実施形態について、図１〜図１０を参照して説明する。なお、本実施形態の香り提供装置は、音声付動画の進行に応じて、予め設定された香りを提供する装置である。まず、香り提供装置の全体構成について、図１を参照して説明する。
【００２５】
図１に示されるように、香り提供装置１０は、人体の頭部に装着される補助部材２０に支持される。補助部材２０は、ヘッドバンド状に形成され、補助部材２０の一端に、香り提供装置１０が連結される。これにより、香り提供装置１０は、人体の耳部付近から鼻部へ延びる状態で配置される。
【００２６】
香り提供装置１０は、一つの方向に延びる管１１と、香料が気化する表面を有する香料保持体３０が収容される収容部１２と、収容部１２と管１１との間で香料保持体３０を搬送する搬送部１３とを備える。
【００２７】
管１１は、例えば、３．２ｍｍの内径を有する円筒形状をなす中空の管である。管１１の材料としてテフロン（登録商標）が用いられる場合には、管１１の内側面に香料が付着することが抑えられ、また、管１１の軽量化が図られる点にて好ましい。同様の効果が得られる材料としては、テフロン（登録商標）の他に、ステンレス鋼やアルミニウム等が挙げられる。
【００２８】
管１１における一方の端部は、収容部１２を介して補助部材２０に接続されている。管１１における他方の端部は、収容部１２よりも人体の鼻部側に配置される。管１１における他方の端部の外周面には、香りの放出口となる開口１１ａが形成されている。
【００２９】
収容部１２の内部には、複数の香料保持体３０が収容され、収容部１２の外部には、管１１と通気路１５とが、相互に対向する位置に接続されている。管１１と通気路１５とは、収容部１２の内部に形成された孔を介して連通している。通気路１５には、空気の送気と空気の吸気とを行う通気機構１４が接続されている。
【００３０】
そして、通気機構１４が送気を行うとき、通気路１５を通して収容部１２及び管１１に圧縮空気が送られる。また、通気機構１４が吸気を行うとき、通気路１５を通して収容部１２及び管１１内の空気が吸引される。これら通気機構１４と通気路１５とによって搬送部１３が構成され、搬送部１３による通気の制御によって、香料保持体３０が搬送される。開口１１ａと対向する位置へ香料保持体３０が搬送されると、搬送された香料保持体３０から香料が気化することによって、香り提供装置１０の外部へ香りが提供される。このとき、開口１１ａが人体の鼻部の下方に配置されるため、香り提供装置１０からは、人体の鼻部に向けて香りが提供される。
【００３１】
次に、図２を参照して収容部１２の内部の構成を説明する。
図２に示されるように、複数の香料保持体３０の各々は、例えば、２ｍｍの外径を有する円柱状に形成される。複数の香料保持体３０の各々は、格納容器３１に格納された状態で収容部１２の筐体に収容される。
【００３２】
格納容器３１は、円板状をなす基端部３２と、基端部３２と同心の円柱状をなす本体部３３とを備えている。本体部３３は、基端部３２に対して中心軸を中心に回転可能に基端部３２に連結されている。本体部３３には、本体部３３の周方向に沿って所定の間隔を空けて配置された複数の収容孔３３ａが形成されている。収容孔３３ａの１つには香料保持体３０が収容されず、残りの収容孔３３ａには香料保持体３０が収容される。
【００３３】
本体部３３の中央部分には、切り替え部３４が収容されている。切り替え部３４は、本体部３３を基端部３２に対して回転させる回転機構、回転機構を駆動するためのモーター、及び、モーターの回転位置を検出するエンコーダー等から構成される。
【００３４】
格納容器３１が格納される収容部１２の筐体には、基端部３２が固定されている。また、収容部１２の筐体には、筐体の内部と管１１の内部とを連通する１つの入出孔が形成され、また、筐体の内部と通気路１５の内部とを連通する１つの通気孔が形成されている。本体部３３における複数の収容孔３３ａのうちの１つは、入出孔と対向する位置である入出位置に配置され、入出孔と対向する収容孔３３ａ以外の収容孔３３ａは、収容部１２の筐体によって塞がれている。基端部３２のうち、入出位置に配置された収容孔３３ａと対向する位置には、通気孔と連通する貫通孔が形成されている。
【００３５】
そして、切り替え部３４の駆動力を受けた本体部３３が回転するとき、入出位置に配置された香料保持体３０は、入出孔及び通気孔から遠ざかり、入出位置とは異なる位置に配置されていた香料保持体３０の１つが、入出孔及び通気孔と対向する。これによって、複数の香料保持体３０のうち、入出位置に配置された香料保持体３０と管１１及び通気路１５との連通状態が形成され、それ以外の香料保持体３０と管１１及び通気路１５との非連通状態が形成され、こうした入出位置に配置される香料保持体３０が変更される。
【００３６】
次に、図３及び図４を参照して香料保持体３０の構成を説明する。
図３に示されるように、香料保持体３０は、多孔質セラミックや多孔質樹脂等の多孔質材料から形成され、香料保持体３０の表面及び内部に多数の細孔を有している。香料保持体３０の表面は、凹凸面であって、凹部としての多数の細孔に液体香料が保持される。収容部１２に収容される複数の香料保持体３０の各々には、相互に異なる液体香料が保持されている。香料保持体３０の表面では、凸部の頂部のみが疎水部３５によって覆われ、疎水部３５は、テフロン（登録商標）等の疎水性を有する材料によって形成されている。すなわち、香料保持体３０では、香料保持体３０の表面のうち他の部材と接する部分のみが疎水性材料で覆われている。
【００３７】
図４に示されるように、香料保持体３０の細孔に保持される液体香料は、香料保持体３０が液体香料に所定の時間だけ浸漬されることによって細孔に貯留される。この際に、香料保持体３０の表面のうち疎水部３５が形成された部分では、液体香料が付着することが抑えられる。結果として、香料保持体３０の表面に接する部材に対し、香料保持体３０から液体香料が付着することが抑制される。そして、香料保持体３０の表面では、疎水部３５が形成された凸部の頂部以外にて液体香料が気化する。
【００３８】
なお、香料保持体３０が液体香料に浸漬される際には、香料保持体３０が減圧環境の下で液体香料に浸浸されることが好ましい。これによれば、香料保持体３０に香料を保持させることに必要とされる時間が短くなる。
【００３９】
次に、香り提供装置の電気的構成について図５を参照して説明する。
図５に示されるように、香り提供装置は、制御部４０と、モーター駆動部４１と、通気機構駆動部４２とを備えている。制御部４０は、入出位置に配置される香料保持体３０の切り替えの態様と、香料保持体３０の搬送の態様とを制御する制御信号を出力する。モーター駆動部４１は、制御部４０からの制御信号を受けて、切り替え部３４が有するモーターＭの駆動信号を生成する。通気機構駆動部４２は、制御部４０からの制御信号を受けて搬送部１３が有する通気機構１４の駆動信号を生成する。
【００４０】
制御部４０は、外部の再生装置４３から送信される香り特定情報を受信する。香り特定情報は、再生装置４３にて再生される音声付動画の進行時刻に応じて規定されている情報であり、所定の進行時刻に香り提供装置から提供される香りを特定する情報である。
【００４１】
制御部４０は、受信された香り特定情報に基づいて格納容器３１における本体部３３の回転量を算出する。この際に、制御部４０は、次に提供される香りの種類に対応した香料保持体３０が入出位置に配置されるように本体部３３の回転量を算出する。そして、制御部４０は、算出された回転量に基づいてモーターＭの位置指令をモーター駆動部４１に出力する。
【００４２】
制御部４０は、受信された香り特定情報に基づいて通気機構１４の駆動タイミングを算出する。この際に、制御部４０は、次に香りが提供されるタイミングに応じて通気機構１４が駆動されるように通気機構１４の駆動タイミングを算出する。そして、制御部４０は、算出された駆動タイミングに基づいて、通気機構１４を駆動するための制御信号を通気機構駆動部４２に出力する。
【００４３】
モーター駆動部４１には、切り替え部３４が備えるモーターＭとモーターＭの回転位置を検出するエンコーダーＥとが接続されている。モーター駆動部４１は、制御部４０から入力された位置指令とエンコーダーＥから入力されたモーターＭの回転位置とに基づいてモーターＭの駆動電流を生成し、その駆動電流をモーターＭに出力する。モーターＭは、モーター駆動部４１から入力される駆動電流によって駆動されて、格納容器３１の本体部３３を回転させる。これにより、香り特定情報に応じた所定の香料保持体３０が、収容部１２の内部にて入出位置に搬送される。
【００４４】
通気機構駆動部４２は、制御部４０から入力された制御指令に基づいて、通気機構１４の駆動電流を生成して所定のタイミングで通気機構１４に出力する。通気機構１４は、通気機構駆動部４２から入力される駆動電流によって駆動されて、空気を送気または吸気する。これにより、収容部１２と管１１との間で香料保持体３０が搬送される。
【００４５】
次に、図６〜図１０を参照して香り提供装置の作用を説明する。なお、図６〜図１０では、説明の便宜上、格納容器３１の内部における収容孔３３ａと香料保持体３０とを、入出位置を中心として平面上に並べて模式的に示している。
【００４６】
図６に示されるように、切り替え部３４によって所定の香料保持体３０が入出位置に搬送されると、搬送部１３によって入出位置に向けて圧縮空気が送られる。入出位置にある香料保持体３０は、圧縮空気のガス圧によって管１１の内部に入り、管１１の先端まで搬送される。すなわち、入出孔と対向する収容孔３３ａが供給部として機能する。
【００４７】
図７に示されるように、香料保持体３０が管１１の先端まで搬送されると、搬送部１３による圧縮空気の送気は停止される。これによって、開口１１ａと対向する位置に香料保持体３０は配置される。その結果、香料保持体３０の表面から空気中に気化した香料が、開口１１ａから外部へ出る。開口１１ａから出た香料は、人の呼吸によって生じる気流に乗って鼻孔内に流れ込む。これにより、香り提供装置から香りが提供される。
【００４８】
このとき、入出孔及び通気孔と対向する収容孔３３ａ以外の複数の収容孔３３ａの各々の開口は、収容部１２の筐体によって塞がれて相互に隔離されている。そして、収容部１２内において、複数の香料保持体３０は相互に隔離されている。それゆえに、相互に異なる香料保持体３０から発生された香りが相互に混ざり合うことが抑えられる。特に、入出位置に配置される収容孔３３ａと他の香料保持体３０が隔てられるため、他の香料保持体３０から気化した香料が管１１の内部に流れ込んで開口１１ａから外部に漏れ出ることが抑えられる。したがって、意図した香りを的確に提供することが可能となる。
【００４９】
図８に示されるように、管１１の先端には、管１１の内部と外部とを貫通する貫通孔１１ｂが形成されている。搬送部１３によって収容部１２及び管１１内の空気が吸引されると、管１１の内部の圧力の低下に伴って、開口１１ａ及び貫通孔１１ｂから管１１内部に空気が引き込まれる。その結果、引き込まれた空気のガス圧により、香料保持体３０が管１１の先端から収容部１２に向けて運ばれる。
【００５０】
図９に示されるように、管１１の先端から収容部１２に向けて運ばれた香料保持体３０は、入出位置に配置されている収容孔３３ａに入る。ここで、入出位置に配置されている収容孔３３ａは、香料保持体３０が管１１の先端まで運ばれる前に格納されていた収容孔３３ａと同一の収容孔３３ａである。すなわち、入出孔と対向する収容孔３３ａが回収部として機能する。
【００５１】
図１０に示されるように、管１１内に移動されていた香料保持体３０が入出位置の収容孔３３ａに戻されると、切り替え部３４によって本体部３３が回転される。これよって、入出位置に配置される香料保持体３０が切り替えられる。
【００５２】
以上のように、切り替え部３４による入出位置に配置される香料保持体３０の切り替えと、搬送部１３による収容部１２と管１１の内部における開口１１ａと対向する位置との間での香料保持体３０の搬送とが繰り返されることによって、複数の種類の香りの中から特定の香りを特定のタイミングで提供することが可能となる。
【００５３】
また、香料保持体３０が格納されていない収容孔３３ａが入出位置に配置されると、開口１１ａから香りが提供されない。したがって、香りの提供を要しない場合にも対応することが可能となる。
【００５４】
こうした構成によれば、香りの発生源が、細孔に液体香料を保持した香料保持体３０であるため、液体香料を漏らすことなく香料保持体３０を管１１内で移動させることができる。すなわち、香りの発生源を移動可能な固体として取り扱うことが可能となるため、香料が液体として取り扱われる場合と比較して、提供される香りの精度を高めることが可能であって、香料の取り扱いに関する利便性が向上される。
【００５５】
例えば、香料を液体の状態で装置内に収容する場合には、香料容器から送り出される香料の量の精度を保つため、また、香料が漏れることを防ぐために、香料が入れられた容器の位置や向き等に制約が生じる。また、容器内に空気を流通させて香りを発生させるには、ある程度の液面の大きさを確保することが必要とされる。これに対し、本実施形態では、香料が香料保持体３０に保持されるため、管１１の配置の状態や収容部の配置の状態が変わる場合であっても、開口１１ａの大きさや形状に応じた所定の精度で香りは提供される。また、上述のような香料の配置に関する制約を受けることなく香料を装置内に収容することが可能となるため、収容可能な香料の数の増大や収容部分の体積の削減を図ることもできる。さらには、香料保持体３０の交換や設置に際しても、液体の運搬を要することなく、ピンセット等によって簡易に香料保持体３０を移動させることが可能となる。
【００５６】
また、香りの放出口である開口１１ａまで香料保持体３０そのものが移動されて香りが発生されるため、気化した香料が空気とともに放出口まで輸送される構成と比べて、管１１に香料が付着することを抑制することができる。さらに、香料保持体３０の表面における凸部の上部には、疎水部３５が形成されているため、これによっても、香料保持体３０に保持される液体香料が管１１に付着して意図しない香りが発生することが抑えられる。
【００５７】
また、香料保持体３０においては、液体香料が細孔に保持されることにより外部の空気に曝される分量が少なくなるため、酸素等によって香料が劣化することが抑制される。
また、液体香料ごとの空気の輸送用の配管、空気の輸送量を制御する制御弁等を設ける必要がないため、香り提供装置としての小型化が可能となる。さらに、気化した香料が空気とともに放出口まで輸送される構成と比べて、放出口から出る空気の量が抑えられるため、使用者に対して風圧を感じさせることを抑制できる。
【００５８】
なお、第１の実施形態では、入出位置に配置される同一の収容孔３３ａが、供給部と回収部とを兼ねる。詳細には、切り替え前の収容孔３３ａを第１供給部とし、切り替え後の収容孔３３ａを第２供給部とすると、第１供給部が、第１供給部から開口１１ａまで搬送された香料保持体３０の回収部を兼ねる。それゆえに、供給部と回収部とが別体として構成される装置に比べて、装置のサイズを小さくすることが可能でもある、なお、管１１における入出位置との接続部分が、導入部を構成する。
【００５９】
以上説明したように、第１の実施形態によれば、以下に列挙する効果が得られる。
（１）香料保持体３０が移動可能な固体として取り扱われるため、香料が液体として取り扱われる場合と比較して、提供される香りの精度が高められ、また、香料の取り扱いに関する利便性が向上される。
【００６０】
（２）収容孔３３ａから開口１１ａまで搬送された香料保持体３０が、同一の収容孔３３ａに回収される。したがって、香料保持体３０の供給及び回収に関する構成が簡素化されるため、香り提供装置の小型化を図ることも可能となる。
【００６１】
（３）切り替え部３４が本体部３３を回転することによって、入出位置に配置される香料保持体３０が切り替えられるため、提供される香りの変更に必要とされる構成を簡易な構成とすることができる。動画の進行に合わせて香りが提供される場合等、提供される香りの順番が予め規定されている場合には、香料保持体３０を提供される香りに対応する順番に並べて収容孔３３ａに格納することによって、本体部３３を回転して入出位置に配置される香料保持体３０を１つずつずらすという簡易な態様で規定された香りを提供することができる。
【００６２】
（４）香料保持体３０の搬送が、香料保持体３０にガス圧が加えられることによって行われるため、香料保持体３０の搬送に用いられる力は、管１１の形状に関わらず香料保持体３０に作用する。したがって、香料保持体３０の円滑な搬送が実現される。また、短時間で香料保持体３０を搬送することができる。
【００６３】
上記第１の実施形態は、以下のように変更して実施することが可能である。
・香料保持体３０が開口１１ａと対向する位置に配置されて香りの提供が行われている間も、通気機構１４から少量の圧縮空気の送気が継続されてもよい。この場合、通気機構１４から送られた空気の一部は、香料保持体３０と管１１の内壁との間の隙間を通って開口１１ａから外部へ出るため、香料保持体３０から発生する香りが効率的に開口１１ａの外へ運ばれる。
【００６４】
・開口１１ａは、人体の鼻部と対向しない向きに配置されてもよい。これによれば、香料保持体３０を搬送する際に、圧縮空気が開口１１ａから漏れることがあったとしても、使用者に対して風圧を感じさせることを抑制できる。
【００６５】
・通気機構１４は、通気路１５を介さずに収容部１２に直接接続されてもよい。
・格納容器３１の収容孔３３ａのうち、香料保持体３０が収容されていない収容孔３３ａが複数あってもよい。この場合、香料保持体３０が管１１の先端まで運ばれる前に収容されていた収容孔３３ａと、管１１の先端から収容部１２に向けて運ばれた香料保持体３０が入る収容孔３３ａは、異なる収容孔３３ａであってもよい。すなわち、供給部となる収容孔３３ａと回収部となる収容孔３３ａとは相互に異なってもよい。
【００６６】
（第２の実施形態）
本開示の技術における香り提供装置の第２の実施形態について図１１〜図１４を参照して説明する。なお、第２の実施形態は、香料保持体の構成、及び、香料保持体を搬送する機構が第１の実施形態とは主に異なる。そのため、以下では、香料保持体の構成、及び、香料保持体を搬送する機構について主に説明する。まず、図１１を参照して香り提供装置の構成を説明する。
【００６７】
図１１に示されるように、１つの方向に沿って延びる矩形管状をなす管５１では、管５１における一方の端部に、香りの放出口としての開口５１ａが形成されている。また、管５１の他方の端部には、箱体状をなす収容部５２が接続され、収容部５２の内部には、矩形板状をなす複数の香料保持体５０が積み重ねられている。
【００６８】
次に、図１２を参照して香料保持体５０の構成を説明する。
図１２に示されるように、多孔質材料からなる香料保持体５０には、液体香料が保持されている。香料保持体５０にて相互に対向する２つの端面には、その端面が延びる方向に沿って雌ねじ５０ａが形成されている。複数の香料保持体５０が収容される収容部５２の内部では、相互に重ねられる２つの香料保持体５０間に、その香料保持体５０間での香料の流通を抑える板状をなす遮蔽部材が挟み込まれている。
【００６９】
次に、図１３及び図１４を参照して香料保持体５０の搬送機構を説明する。
図１３に示されるように、管５１の内部には、雄ねじ状をなす連結部材としての２つのねじ軸５３が、管５１の延びる方向に沿って相互に平行に配置され、管５１の内部から収容部５２の内部へ延設されている。２つのねじ軸５３の各々の周面には、ねじ山が形成され、２つのねじ軸５３の各々におけるねじの巻き方向は、相互に逆向きであって、例えば、一方のねじ軸５３が右ねじであり、他方のねじ軸５３が左ねじである。
【００７０】
２つのねじ軸５３の各々における管５１側の端部は、管５１の内壁に固定された軸受け５４によって回転自在に支持されている。２つのねじ軸５３の各々における収容部５２側の端部は、歯車５５を介してねじ駆動部５６に連結されている。そして、歯車５５の回転を通じてねじ駆動部５６がねじ軸５３を回転すると、２つのねじ軸５３の各々は、相互に逆方向に回転する。例えば、ねじ駆動部５６が歯車５５を駆動すると、右ねじである一方のねじ軸５３は右回りに回転し、左ねじである他方のねじ軸５３は左回りに回転する。
【００７１】
収容部５２の内部において、複数の香料保持体５０の各々は、２つのねじ軸５３が含まれる平面と直交する方向に沿って積み重ねられている。複数の香料保持体５０では、１つの香料保持体５０の雌ねじ５０ａが２つのねじ軸５３と螺合し、他の香料保持体５０が２つのねじ軸５３から離れている。
【００７２】
収容部５２の内部には、切り替え部としての昇降機構が内蔵され、昇降機構は、積み重ねられた複数の香料保持体５０を香料保持体５０の積層方向に沿って昇降する。そして、積み重ねられた複数の香料保持体５０が積層方向に沿って上昇あるいは下降することによって、２つのねじ軸５３と螺合する香料保持体５０が他の香料保持体５０に入れ替えられる。すなわち、入出位置に配置される香料保持体５０と他の香料保持体５０とが入れ替えられる。なお、２つのねじ軸５３とねじ駆動部５６とによって搬送部が構成され、収容部５２における香料保持体５０の格納部分が、供給部と回収部を兼ねる。また、管５１における入出位置との接続部分が、導入部を構成する。
【００７３】
図１４に示されるように、管５１の内側面にて、開口５１ａが形成された面、及び、該面と対向する面の各々には、管５１の延びる方向に沿って延びる２列の突条部５７が形成されている。２つの突条部５７の各々は、管５１の内部を通る香料保持体５０との間に隙間を有している。そして、香料保持体５０が管５１の内部で搬送されるときに、香料保持体５０の位置が搬送方向と交差する方向にずれる場合であっても、香料保持体５０の過度な位置ずれは、その香料保持体５０と突条部５７との接触によって抑えられる。それゆえに、香料保持体５０とねじ軸５３との螺合の解除が抑えられ、香料保持体５０の搬送の安定化が図られる。
【００７４】
次に、第２の実施形態における香り提供装置の作用を説明する。
まず、複数の香料保持体５０のうち、提供される香りに対応した香料保持体５０は、収容部５２内の昇降機構が駆動されることによって入出位置に配置される。次いで、ねじ駆動部５６の駆動力を受けて２つのねじ軸５３の各々が回転すると、入出位置に配置された香料保持体５０は、収容部５２の内部から管５１の内部を通じて開口５１ａと対向する位置まで搬送される。これによって、開口５１ａと対向する香料保持体５０から開口５１ａを通して香りが提供される。
【００７５】
続いて、この状態から、ねじ駆動部５６の駆動力を受けて２つねじ軸５３の各々が逆転すると、開口５１ａと対向する位置に配置された香料保持体５０は、開口５１ａと対向する位置から管５１の内部を通じて入出位置まで搬送される。これによって、香りの提供に供した香料保持体５０は、搬送前に格納されていた位置に戻される。そして、香料保持体５０が搬送される期間にて、香料保持体５０の過度な位置ずれは、その香料保持体５０と突条部５７との接触によって抑えられる。
【００７６】
このように、本実施形態では、香料保持体５０に連結される連結部材としてのねじ軸５３の変位によって、香料保持体５０が搬送される。
なお、第２の実施形態でも、入出位置に配置される香料保持体５０の切り替え、及び、香料保持体５０の搬送の態様は、ねじ駆動部５６の回転量と切り替え部の駆動量とを制御する制御部によって制御される。
【００７７】
以上説明したように、第２の実施形態によれば、第１の実施形態の（１）の効果に加えて、以下の効果が得られる。
（５）収容部５２から開口５１ａまで搬送された香料保持体５０が、収容部５２における同一の空間に回収される。したがって、香料保持体５０の供給及び回収に必要とされる構成が簡素化されるため、香り提供装置の小型化を図ることも可能となる。
【００７８】
（６）積層された香料保持体５０が積層方向に往復動されることにより入出位置に配置される香料保持体５０が切り替えられるため、提供される香りの変更に必要とされる構成を簡易な構成とすることができる。
【００７９】
（７）搬送部による香料保持体５０の搬送が、ねじ軸５３の回転を利用して行われるため、管５１の内部における香料保持体５０の位置が、ねじ軸５３の回転数によって把握される。したがって、香料保持体５０の位置の制御が容易となる。
【００８０】
上記第２の実施形態は、以下のように変更して実施することが可能である。
・搬送部は、香料保持体５０を搬送方向に沿って案内する案内レールと、１つのねじ軸５３と、１つのねじ軸５３を回転するねじ駆動部５６とから構成されてもよい。こうした構成であっても、１つのねじ軸５３の回転が香料保持体５０の並進に変換される以上、香料保持体５０を管５１に沿って搬送することは可能である。
【００８１】
・香料保持体５０において雌ねじ５０ａの形成される部位は、液体香料を保持しない構成が好ましい。香料保持体５０とねじ軸５３とが螺合する部位は、複数の香料保持体５０の各々に対して共通する部位である。そこで、雌ねじ５０ａの形成される部位が液体香料を保持しない構成であれば、ねじ軸５３を介して香料保持体５０間にて液体香料が混ざることが抑えられる。
【００８２】
（第３の実施形態）
本開示の技術における香り提供装置の第３の実施形態について、図１５を参照して説明する。なお、第３の実施形態は、香料保持体の構成、及び、香料保持体を搬送する機構が第１の実施形態とは主に異なる。そのため、以下では、香料保持体の構成、及び、香料保持体の搬送機構を主に説明する。
【００８３】
図１５に示されるように、球形状をなす多孔質材料からなる香料保持体６０には、液体香料が保持されている。香料保持体６０が搬送される管６１の内面には、アルキメデスの螺旋状をなす連結部材としての螺旋羽６２が突設されている。複数の香料保持体６０の収容される収容部に対し、管６１はその周方向に回転可能に連結されている。
【００８４】
管６１の周囲には、螺旋羽６２と共に管６１を回転させる回転機構、及び、回転機構を駆動させるモーターから構成される搬送部６３が備えられている。
そして、搬送部６３が管６１をその周方向に沿って回転すると、螺旋羽６２に沿って香料保持体６０が移動し、香料保持体６０が管６１の軸方向に沿って搬送される。この際に、搬送部６３が管６１を正転すると、香料保持体６０の収容される収容部から管６１に形成された開口と対向する位置に向けて、香料保持体６０は搬送される。また、搬送部６３が管６１を逆転すると、管６１に形成された開口と対向する位置から香料保持体６０の収容される収容部に向けて、香料保持体６０は搬送される。すなわち、管６１が収容部に対して回転することによって、螺旋羽６２がアルキメディアンスクリューとして機能し、管６１の内部に収容された香料保持体６０が管６１の軸方向に沿って搬送される。
【００８５】
このように、本実施形態では、香料保持体６０に連結される連結部材としての螺旋羽６２の変位によって、香料保持体６０が搬送される。
なお、第３の実施形態において、香料保持体６０の搬送の制御は、搬送部６３の駆動量を制御する制御部によって制御される。
【００８６】
以上説明したように、第３の実施形態によれば、第１の実施形態の（１）〜（３）の効果に加えて、以下の効果が得られる。
（８）搬送部による香料保持体６０の搬送が、管６１の回転に基づくスクリューの回転を利用して行われるため、管６１の内部における香料保持体６０の位置が、管６１の回転数によって把握される。したがって、香料保持体６０の位置の制御が容易となる。
【００８７】
上記第３の実施形態は、以下のように変更して実施することが可能である。
・管６１と螺旋羽６２とが別体として構成されてもよい。この際に、香料保持体６０を収容する収容部に対して管６１が固定される一方で、搬送部６３の駆動力を受ける螺旋羽６２が管６１の周方向に沿って回転してもよい。また、管６１そのものが螺旋状に形成されてもよい。
【００８８】
・螺旋羽６２によって搬送される香料保持体６０は、球形状をなす多数の多孔質体であってもよい。
（第４の実施形態）
本開示の技術における香り提供装置の第４の実施形態について、図１６を参照して説明する。なお、第４の実施形態は、香料保持体の構成、及び、香料保持体を搬送する機構が第１の実施形態とは主に異なる。そのため、以下では、香料保持体の構成、及び、香料保持体の搬送態様を主に説明する。
【００８９】
図１６に示されるように、香料保持体７０は、液体香料が保持される多孔質材料からなる保持部７１と、保持部７１を支持する支持部７２とから構成されている。保持部７１は、それの通る管７３の延びる方向、すなわち、香料保持体７０の搬送方向における両端部を支持部７２に支持されている。保持部７１を支持する支持部７２の両端部は、一方の端部にＮ極が形成され、他方の端部にＳ極が形成される態様で着磁されている。
【００９０】
管７３の周囲には、コイル７４が巻き付けられ、コイル７４は、外部の電流供給源に接続されている。そして、コイル７４に電流が供給されると、搬送方向に沿って支持部７２を搬送するための磁界が管７３の内部に形成される。コイル７４に供給される電流の向きと電流が供給されるタイミングとは、制御部によって制御される。例えば、制御部は、コイル７４に正の電流を供給して、香料保持体７０の収容される収容部から管７３に形成された開口に向けて支持部７２を搬送する。そして、制御部は、コイル７４に負の電流を供給して、管７３に形成された開口から香料保持体７０の収容される収容部に向けて支持部７２を搬送する。なお、第４の実施形態では、コイル７４によって搬送部が構成されている。
【００９１】
このように、本実施形態では、香料保持体７０に加えられる磁力によって香料保持体７０が搬送される。
以上説明したように、第４の実施形態によれば、第１の実施形態の（１）〜（３）の効果に加えて、以下の効果が得られる。
【００９２】
（９）磁力の作用によって香料保持体７０が搬送されるため、香料保持体７０から離れた位置から、香料保持体７０を搬送するための力を香料保持体に作用させることが可能になる。したがって、香料保持体７０と搬送部との間に他の部材が介在する場合であっても、香料保持体の搬送が可能ともなる。
【００９３】
（１０）香料保持体７０に加えられる磁力の働きによって香料保持体７０が搬送されるため、管７３に空気を送る流路や通気機構等を設けることなく、香料保持体７０の搬送が実現できる。
【００９４】
上記第４の実施形態は、以下のように変更して実施することが可能である。
・香料保持体７０が保持部７１のみから構成され、保持部７１そのものが着磁されていてもよい。
【００９５】
・香料保持体７０に磁力を作用させる機構は、コイル７４に限らず、管７３の外部、又は、管７３の内部に、管７３の延びる方向に沿って配列された複数の電磁石によって具体化することも可能である。すなわち、複数の電磁石の各々に供給される電流の向きが制御されることによって、多数の電磁石の各々における磁極が切り替えられ、多数の電磁石の各々と香料保持体７０との間での吸引と反発とが切り替えられる。このような構成であれば、電磁石の磁極の切り替えの制御によって、香料保持体７０の搬送の速度を制御することが可能にもなる。
【００９６】
（第５の実施形態）
本開示の技術における香り提供装置の第５の実施形態について、図１７〜図１９を参照して説明する。なお、第５の実施形態は、香料保持体の構成、及び、香料保持体を搬送する機構が第１の実施形態とは主に異なる。そのため、以下では、香料保持体の構成、及び、香料保持体の搬送機構を主に説明する。
【００９７】
図１７に示されるように、香料保持体８０は、円筒状をなす１つの軸部８２と、軸部８２の外周面に等配された台形柱状をなす８つの着磁部８１とから構成されている。軸部８２の内周面には、雌ねじが形成されている。８つの着磁部８１の各々は、液体香料を保持する多孔質材料からなり、Ｎ極とＳ極とが交互に隣り合うように配置されている。
【００９８】
図１８に示されるように、管８３の内部には、管８３の延びる方向に沿って延びる連結部材としてのねじ軸８４が設置されている。ねじ軸８４は、管８３の径方向における中心に配置され、ねじ軸８４の外周面には、雄ねじが形成されている。ねじ軸８４には、香料保持体８０の軸部８２が螺着される。管８３の外部には、複数の電磁石８５が設置されている。
【００９９】
図１９に示されるように、管８３の外部には、管８３の周方向に沿って８つの電磁石８５が等配されている。８つの電磁石８５の各々では、電流の供給によって磁極が切り替えられ、且つ、Ｎ極とＳ極とが交互に隣り合うように電流が供給される。第５の実施形態では、８つの電磁石８５によって搬送部が構成される。
【０１００】
８つの電磁石８５の各々に供給される電流の向き、及び、８つの電磁石８５の各々にて電流が供給されるタイミングは、制御部によって制御される。そして、電磁石８５に供給される電流の向きと供給のタイミングとが制御されることによって、８つの電磁石８５の各々における磁極が切り替えられる。これによって、電磁石８５と香料保持体８０との間に磁力が作用し、香料保持体８０がねじ軸８４の周方向に沿って回転する。その結果、香料保持体８０は、ねじ軸８４に沿って搬送される。
【０１０１】
制御部は、香料保持体８０を収容部から管８３の開口部の方向へ動かす場合と、管８３の開口部から収容部の方向へ動かす場合とで、香料保持体８０の回転方向が逆向きとなるように電流の供給を制御する。こうした構成によれば、電磁石８５の磁極の切り替えの制御によって、香料保持体８０の搬送の速度も制御することが可能となる。
【０１０２】
このように、本実施形態では、香料保持体８０に加えられる磁力によって香料保持体８０が搬送される。また同時に、香料保持体８０に連結される連結部材としてのねじ軸８４の変位によって、香料保持体８０が搬送される。
【０１０３】
以上説明したように、第５の実施形態によれば、第１の実施形態の（１）〜（３）の効果、及び、第４の実施形態の（９）（１０）の効果に加えて、以下の効果が得られる。
（１１）香料保持体５０の搬送が、ねじ軸８４に対する香料保持体８０の回転を利用して行われるため、管８３の内部における香料保持体８０の位置が、香料保持体８０の回転数によって把握される。したがって、香料保持体８０の位置の制御が容易となる。
【０１０４】
上記第５の実施形態は、以下のように変更して実施することが可能である。
・香料保持体８０に形成される磁極の数と、電磁石８５に形成される磁極の数を８つとしたが、香料保持体８０及び電磁石８５の各々に形成される磁極の数は、２以上であればよい。
【０１０５】
（変形例）
上記の各実施形態は、以下のように変更して実施することが可能である。
・第１〜第５の実施形態に記載される香料保持体の少なくとも２つの搬送態様が組み合わされてもよい。例えば、管における搬送方向の途中の部位で、香料保持体の搬送態様が第１の実施形態に記載される搬送態様から第２の実施形態に記載される搬送態様に切り替えられてもよい。
【０１０６】
・管内の開口と対向する位置に香料保持体が搬送された後に、香料保持体は回収部へ回収されることなく外部へ排出されてもよい。例えば、香り提供装置では、回収部が割愛されてもよい。こうした構成であっても、上記（１）の効果を得ることができる。
【０１０７】
・管が有する２つ以上の端部の各々に香料保持体の収容部が接続されてもよい。この場合に、１つの香料保持体が１つの収容部から供給されて、その香料保持体が他の収容部に回収されてもよい。また、相互に異なる２つの収容部の間において、香料保持体が双方向に搬送されて、２つの収容部の各々が供給部及び回収部として機能する構成であってもよい。
【０１０８】
・収容部に収容される香料保持体は１つ以上であればよく、収容部に収容される香料保持体が１つである場合、あるいは、収容部が有する供給部が１つである場合には、切り替え部が省略されてもよい。
【０１０９】
・管に形成された開口と対向する香料保持体の数は２つ以上であってもよい。この場合、例えば、第１の実施形態における１つの収容孔に２つ以上の香料保持体が格納されて、その２つ以上の香料保持体が同時に搬送されてもよく、また、入出位置に配置される収容孔の切り替えによって、２つの収容孔の各々から相互に異なる香料保持体が順に搬送されてもよい。これによれば、複数の香料保持体の組み合わせによって、提供される香りの種類の数を多くすることが可能にもなる。
【０１１０】
・管における開口の付近に、開口に対向する香料保持体を加熱するヒーター等から構成される保持体加熱部が配設されてもよい。この構成によれば、開口と対向する香料保持体が保持体加熱部によって加熱される。結果として、香料保持体からの香料の気化が加熱によって促進されて、開口から提供される香りの濃度が高められる。
【０１１１】
・管の開口の近傍における空気を加熱するヒーター等の空気加熱部が管や搬送部に設けられ、その空気加熱部が、開口の近傍における空気を加熱によって上昇させて開口に対向する香料保持体からの香りを空気によって上方に導いてもよい。この構成によれば、開口の近傍における空気が加熱されるため、開口の近傍に上昇気流が発生して、香料保持体からの香料が上昇気流によって効率的に鼻腔に運ばれる。なお、香りを運ぶために送風機構が用いられる場合には、香りを運ぶ効率を高めるために送風量を増大させると、空気量が多くなって結果的に香りが弱まるという問題がある。これに対し、上述のように加熱によって上昇気流を発生させれば、香りが弱まることを抑えながら効率よく香りを提供することができる。
【０１１２】
なお、香り提供装置は、上記保持体加熱部と空気加熱部との双方を備えてもよいし、保持体加熱部及び空気加熱部のいずれか一方のみを備えてもよい。また、１つの加熱部が保持体加熱部と空気加熱部とを兼ねてもよい。この際に、保持体加熱部が備えられる構成では、加熱部による加熱が停止された後も、保持体加熱部によって加熱された香料保持体が十分に冷却されるまで香料の気化は継続される。これに対して、空気加熱部のみが備えられる構成であれば、保持体加熱部によって香料保持体が加熱される場合に比べて、加熱部による加熱が停止された後に、香料保持体からの香料の気化が抑えられる。結果として、空気加熱部のみが備えられる構成であれば、保持体加熱部が備えられる構成に比べて、香りの提供の停止に対する応答性が高められる。
【０１１３】
・複数の香料保持体の各々に、香料の属性を示す指標が備えられていてもよい。例えば、香料保持体が保持する香料の種類や気化の効率ごとに、香料保持体が異なる色に着色されていてもよい。この場合、管を透明な材料から形成することによって、現在提供されている香りの種類や強さ、次回提供される香りの種類や強さが、外部からの視認によって把握される。なお、香りの属性を示す指標には、色の他、模様や形状等が用いられてもよい。また、香料保持体に埋め込まれたＩＣチップが指標としての機能を備え、例えば、ＩＣチップが有するＩＤの読み取りによって香料の属性が把握される構成としてもよい。
【０１１４】
・管の形状は、直線状に限らず、曲線部分を有していてもよい。なお、管の形状が直線状である場合には、香料保持体の搬送を円滑に行うことができる。
・香料保持体は、液体香料に浸漬された多孔質材料に限らず、例えば、気体のみを透過するフィルムによって覆われた中空の立体であって、その内部に液体香料が閉じ込められた構成でもよい。要は、香料保持体は、香料が気化する表面を有していればよい。
【０１１５】
・収容部に収容される複数の香料保持体には、同じ種類の香料を保持する香料保持体が含まれてもよい。
・香り提供装置には、開口に向けて空気を送る送風機構が備えられてもよい。
【０１１６】
・制御部が受信する香り特定情報は、音声付動画に限らず、音声のみや、表示される静止画に対応して規定される情報であってもよい。また、香り特定情報は、予め、香り提供装置に記憶されていてもよい。さらに、香り提供装置は、音声付動画の進行に応じて予め設定された香りを提供する装置に限らず、時間や場所、その他の要素に応じて予め設定された香りを提供する装置であってもよい。
【０１１７】
・制御部を備えず、例えば、手動で搬送部を操作することによって所望の香料保持体を開口に対向する位置に移動させる態様であってもよい。
・香り提供装置は、複数の管と、複数の搬送部との組み合わせによって構成されてもよい。
【０１１８】
・香り提供装置が人体に装着されるための構成は、ヘッドバンド状をなす補助部材に限らず、首や肩に装着される固定具であってもよい。また、香り提供装置の利用される態様は、人体に装着されて利用される態様に限らず、香りが提供される設備等に設置されて利用される態様であってもよい。
【符号の説明】
【０１１９】
１０…香り提供装置、１１，５１，６１，７３，８３…管、１１ａ，５１ａ…開口、１２，５２…収容部、１３，６３…搬送部、１４…通気機構、１５…通気路、２０…補助部材、３０，５０，６０，７０，８０…香料保持体、３１…格納容器、３２…基端部、３３…本体部、３３ａ…収容孔、３４…切り替え部、３５…疎水部、４０…制御部、４１…モーター駆動部、４２…通気機構駆動部、４３…再生装置、５３，８４…ねじ軸、５６…ねじ駆動部、６２…螺旋羽、７４…コイル、８５…電磁石。
【図１】
2014039694.tif 000003
【図２】
2014039694.tif 000004
【図３】
2014039694.tif 000005
【図４】
2014039694.tif 000006
【図５】
2014039694.tif 000007
【図６】
2014039694.tif 000008
【図７】
2014039694.tif 000009
【図８】
2014039694.tif 000010
【図９】
2014039694.tif 000011
【図１０】
2014039694.tif 000012
【図１１】
2014039694.tif 000013
【図１２】
2014039694.tif 000014
【図１３】
2014039694.tif 000015
【図１４】
2014039694.tif 000016
【図１５】
2014039694.tif 000017
【図１６】
2014039694.tif 000018
【図１７】
2014039694.tif 000019
【図１８】
2014039694.tif 000020
【図１９】
2014039694.tif 000021